(57)【要約】【課題】消費電力を抑え、かつ見栄えのよい表示を行う電気泳動表示装置の駆動方法、電気泳動表示装置等を提供する。【解決手段】表示部に表示される画像の背景の色が第１色であるか第２色であるかを判定すること（Ｓ１０）と、画像の背景の色が第２色であると判定した場合に、表示部に、画像を第３の反射率の第１色を用いて表示させ、かつ、画像の背景を第１の反射率の第２色を用いて表示させること（Ｓ１１０）と、画像の背景の色が第１色であると判定した場合に、表示部に、画像を第２の反射率の第２色を用いて表示させ、かつ、画像の背景を、第４の反射率の第１色を用いて表示させること（Ｓ１２０）と、を含む。【選択図】図１０
2014211467.tif 000002
【特許請求の範囲】
【請求項１】
電気泳動表示装置の駆動方法であって、
前記電気泳動表示装置は、
第１色と、前記第１色よりも反射率が高い第２色と、を表示する表示部、
を含み、
前記表示部に表示される画像の背景の色が前記第１色であるか前記第２色であるかを判定することと、
前記画像の背景の色が前記第２色であると判定した場合に、
前記表示部に、
前記画像を第３の反射率の第１色を用いて表示させ、かつ、
前記画像の背景を第１の反射率の第２色を用いて表示させることと、
前記画像の背景の色が前記第１色であると判定した場合に、
前記表示部に、
前記画像を第２の反射率の第２色を用いて表示させ、かつ、
前記画像の背景を、第４の反射率の第１色を用いて表示させることと、
を含む、
電気泳動表示装置の駆動方法。
ただし、（第４の反射率）＜（第３の反射率）＜（第２の反射率）＜（第１の反射率）である。
【請求項２】
請求項１に記載の電気泳動表示装置の駆動方法において、
前記第１の反射率は、前記表示部が表示可能な最も高い反射率として定められる反射率である、
電気泳動表示装置の駆動方法。
【請求項３】
請求項１または２に記載の電気泳動表示装置の駆動方法において、
前記第４の反射率は、前記表示部が表示可能な最も低い反射率として定められる反射率である、
電気泳動表示装置の駆動方法。
【請求項４】
請求項１乃至３のいずれか１項に記載の電気泳動表示装置の駆動方法において、
前記第３の反射率と前記第４の反射率との差は、前記第１の反射率と前記第２の反射率との差よりも小さい、
電気泳動表示装置の駆動方法。
【請求項５】
請求項１乃至４のいずれか１項に記載の電気泳動表示装置の駆動方法において、
前記判定することは、
前記表示部の所定領域において、前記第１色を表示する画素の数と前記第２色を表示する画素の数とを比較して、前記第１色および前記第２色のうち前記表示する画素の数が多い方を前記画像の背景の色であると判定する、
電気泳動表示装置の駆動方法。
【請求項６】
第１色と、前記第１色よりも反射率が高い第２色と、を表示する表示部と、
前記表示部を制御する表示制御部と、
を含み、
前記表示制御部は、
前記表示部に表示される画像の背景の色が前記第１色であるか前記第２色であるかを判定し、
前記画像の背景の色が前記第２色であると判定した場合に、
前記表示部に、
前記画像を第３の反射率で表示させ、かつ、
前記画像の背景を第１の反射率で表示させ、
前記画像の背景の色が前記第１色であると判定した場合に、
前記表示部に、
前記画像を第２の反射率で表示させ、かつ、
前記画像の背景を第４の反射率で表示させる、
電気泳動表示装置。
ただし、第４の反射率＜第３の反射率＜第２の反射率＜第１の反射率である。
【発明の詳細な説明】
【技術分野】
【０００１】
本発明は、電気泳動表示装置の駆動方法、電気泳動表示装置等に関する。
【背景技術】
【０００２】
近年、電源を切っても画像を保持できるメモリー性を有する表示パネルが開発され、電子時計等にも使用されている。メモリー性を有する表示パネルとしては、ＥＰＤ（Electrophoretic Display）すなわち電気泳動表示装置や、メモリー性液晶表示装置等が知られている。
【０００３】
電気泳動表示装置は、視野角の広さ、コントラスト比の高さ、柔軟性、反射型ディスプレイであるゆえの低消費電力などの優れた利点がある。
【０００４】
電気泳動表示装置は、例えば１フレームの画像の画素に対応する画素電極と共通電極とを含み、これらの電極のそれぞれに電圧を印加して、発生した電界によって電気泳動粒子を移動させることで表示部に表示される画像を更新する。電気泳動表示装置は、１フレームの画像の画素の全て、すなわち表示部の全画素の表示を更新する全面駆動方式により画像を表示することもできるし、書き換え対象である一部の画素を更新することも可能な部分駆動方式により画像を表示することもできる。
【０００５】
特許文献１の発明は、湿度または温度の変化に応じて、全面駆動方式、部分駆動方式を切り換えて画像を更新することで、コントラストを一定水準に保ち、かつ消費電力を抑えることができる。
【先行技術文献】
【特許文献】
【０００６】
【特許文献１】特開２０１０−２２４０９５号公報
【発明の概要】
【発明が解決しようとする課題】
【０００７】
ここで、特許文献１の発明では、湿度または温度の変化という使用環境の変化に対応することができる。しかし、使用環境の変化への対応に限らず、コントラストを一定水準に保ちながら更なる低消費電力化が可能な電気泳動表示装置の駆動方法が求められている。
【０００８】
本発明はこのような問題点に鑑みてなされたものである。本発明のいくつかの態様によれば、消費電力を抑え、かつ見栄えのよい表示を行う電気泳動表示装置の駆動方法、電気泳動表示装置等を提供することができる。
【課題を解決するための手段】
【０００９】
［適用例１］
本適用例に係る電気泳動表示装置の駆動方法は、前記電気泳動表示装置が、第１色と、前記第１色よりも反射率が高い第２色と、を表示する表示部、を含み、前記表示部に表示される画像の背景の色が前記第１色であるか前記第２色であるかを判定することと、前記画像の背景の色が前記第２色であると判定した場合に、前記表示部に、前記画像を第３の反射率の第１色を用いて表示させ、かつ、前記画像の背景を第１の反射率の第２色を用いて表示させることと、前記画像の背景の色が前記第１色であると判定した場合に、前記表示部に、前記画像を第２の反射率の第２色を用いて表示させ、かつ、前記画像の背景を、第４の反射率の第１色を用いて表示させることと、を含む。ただし、（第４の反射率）＜（第３の反射率）＜（第２の反射率）＜（第１の反射率）である。
【００１０】
本適用例に係る電気泳動表示装置の駆動方法は、表示部に表示される画像の背景の色が第１色であるか第２色であるかを判定し、判定結果に応じて異なる反射率の第１色および第２色を用いて画像と画像の背景とを表示する。
【００１１】
本適用例に係る電気泳動表示装置の駆動方法は、背景の色が第２色であると判定した場合に、画像の背景（第２色）を第１の反射率で表示させる。また、本適用例に係る電気泳動表示装置の駆動方法は、背景の色が第１色であると判定した場合に、画像の背景（第１色）を第４の反射率で表示させる。
【００１２】
本適用例においては、（第４の反射率）＜（第３の反射率）＜（第２の反射率）＜（第１の反射率）であるので、第１の反射率は、第２〜第４の反射率よりも反射率が高い。また、第４の反射率は、第１〜第３の反射率よりも反射率が低い。つまり、本適用例に係る電気泳動表示装置の駆動方法は、背景の色を、第１〜第４の反射率の中で最も高い反射率または最も低い反射率で表示する。人間の視覚は、背景の色に強い印象を受けやすい。そのため、背景の色が例えば第２の反射率または第３の反射率である場合と比較して、コントラストが良好であるとの印象を与えることができるので、見栄えが良い表示を行うことができる。
【００１３】
ここで、仮に、表示部が表示可能な最も低い反射率として定められる反射率の第１色と最も高い反射率として定められる反射率の第２色とを用いて画像を表示すると、コントラストは向上する。表示部が表示可能な最も低い反射率、最も高い反射率は、例えば飽和した反射率（以下、限界反射率）である。しかし、このとき第１色から第２色（または第２色から第１色）へと表示を変化させるための駆動時間が長くなり、消費電力も大きくなる。
【００１４】
本適用例に係る電気泳動表示装置の駆動方法は、第２の反射率の第２色、または、第３の反射率の第１色を用いて画像を表示する。これにより、高い方の限界反射率（以下、限界高反射率）または低い方の限界反射率（以下、限界低反射率）を用いて画像を表示する場合と比較して、第１色から第２色（または第２色から第１色）へと変化させるための駆動時間を短縮できるので、消費電力を抑えることが可能である。
【００１５】
［適用例２］
上記適用例に係る電気泳動表示装置の駆動方法において、前記第１の反射率は、前記表示部が表示可能な最も高い反射率として定められる反射率としてもよい。
【００１６】
上記適用例に係る電気泳動表示装置の駆動方法では、第１の反射率を、表示部が表示可能な最も高い反射率としてもよい。背景の色が第２色であると判定した場合に、画像の背景（第２色）を表示可能な最も高い反射率で表示させるので、コントラストが良好であるとの印象がより強くなる。したがって、画像の見栄えをさらに良くすることができる。
【００１７】
［適用例３］
上記適用例に係る電気泳動表示装置の駆動方法において、前記第４の反射率は、前記表示部が表示可能な最も低い反射率として定められる反射率としてもよい。
【００１８】
また、上記適用例に係る電気泳動表示装置の駆動方法では、第４の反射率を、表示部が表示可能な最も低い反射率としてもよい。このとき、背景の色が第１色であると判定した場合に、画像の背景（第１色）を表示可能な最も高い反射率で表示させるので、コントラストが良好であるとの印象がより強くなる。したがって、画像の見栄えをさらに良くすることができる。
【００１９】
ここで、第１色とは例えば黒色であり、第２色とは例えば白色である。第１色が白色、第２色が黒色であってもよい。表示部に表示される画像は、文字、数字、文章、図形、記号、模様等のいずれかまたはこれらの組み合わせであってもよい。すなわち、画像は、例えば面積階調で表示される写真、模様、イラスト等（以下、グラフィックとする）の場合もあるし、面積階調を用いない単一色画像、文字、数字、記号等（以下、非グラフィックとする）の場合もあるし、両方を含む場合もある。以下では、両方を含む場合は特に断らない限りグラフィックに区分されるとする。また、画像の背景は、表示部における画像以外の部分をいう。
【００２０】
例えば、黒色で文字、数字、文章、図形、記号、模様等のいずれかまたはこれらの組み合わせを表示したい場合、画像とは表示部全体における黒色の部分であり、画像の背景とは表示部全体における白色の部分である。逆に、白色で文字、数字、文章、図形、記号、模様等のいずれかまたはこれらの組み合わせを表示したい場合、画像とは表示部全体における白色の部分であり、画像の背景とは表示部全体における黒色の部分である。
【００２１】
［適用例４］
上記適用例に係る電気泳動表示装置の駆動方法において、前記第３の反射率と前記第４の反射率との差は、前記第１の反射率と前記第２の反射率との差よりも小さくてもよい。
【００２２】
上記適用例に係る電気泳動表示装置の駆動方法は第３の反射率と第４の反射率との差が、第１の反射率と第２の反射率との差よりも小さくなるようにしてもよい。このとき、背景が第２色である場合（第１の反射率と第３の反射率）よりも、背景が第１色（第２の反射率と第４の反射率）の方が第１色と第２色との反射率の差が小さくなるので、第２の使用範囲を選択した場合にコントラストが低下するようにも思える。
【００２３】
しかし、反射率の低い色（第３、第４の反射率を含む）は、反射率の高い色（第１、第２の反射率を含む）に比べて、少しの反射率の変化が見た目のコントラストに影響することが知られている。そのため、第３の反射率と第４の反射率との差が第１の反射率と第２の反射率との差よりも小さくても、コントラストが良好であるとの印象を与えることができる。そのため、第２の反射率と第４の反射率との差を狭くすることで、見かけのコントラストを低下させずに、さらに消費電力を低くできる。
【００２４】
［適用例５］
上記適用例に係る電気泳動表示装置の駆動方法において、前記判定することは、前記表示部の所定領域において、前記第１色を表示する画素の数と前記第２色を表示する画素の数とを比較して、前記第１色および前記第２色のうち前記表示する画素の数が多い方を前記画像の背景の色であると判定してもよい。
【００２５】
本適用例に係る電気泳動表示装置の駆動方法は、表示される第１色および第２色の面積を比較して、面積が大きい方の色を背景の色と判定する。具体的には、面積は画素の数で決まるので、表示部の所定領域において、第１色で表示される画素の数と第２色で表示される画素の数とを比較する。
【００２６】
視覚は、面積が広い方の領域の印象を強く受ける。そのため、印象が強い領域の色を背景の色と判定して、判定結果に基づいて第２の反射率の第２色、または、第３の反射率の第１色を用いて画像を表示することで、ユーザーにコントラストが良好であるとの印象を強く与えることができる。
【００２７】
ここで、表示部の所定領域とは、表示部全体であってもよいし、表示部に１つまたは複数設けられた小さな領域（例えば１０画素×１０画素の領域）であってもよい。境界についての所定数とは、例えば１００、５００といった固定値であってもよいし、表示部の所定領域の全画素数に対する比率（例えば５０％以上）によって決定してもよい。
【００２８】
［適用例６］
本適用例に係る電気泳動表示装置は、第１色と、前記第１色よりも反射率が高い第２色と、を表示する表示部と、前記表示部を制御する表示制御部と、を含み、前記表示制御部は、前記表示部に表示される画像の背景の色が前記第１色であるか前記第２色であるかを判定し、前記画像の背景の色が前記第２色であると判定した場合に、前記表示部に、前記画像を第３の反射率で表示させ、かつ、前記画像の背景を第１の反射率で表示させ、前記画像の背景の色が前記第１色であると判定した場合に、前記表示部に、前記画像を第２の反射率で表示させ、かつ、前記画像の背景を第４の反射率で表示させる。ただし、第４の反射率＜第３の反射率＜第２の反射率＜第１の反射率である。
【００２９】
本適用例においては、（第４の反射率）＜（第３の反射率）＜（第２の反射率）＜（第１の反射率）であるので、第１の反射率は、第２〜第４の反射率よりも反射率が高い。また、第４の反射率は、第１〜第３の反射率よりも反射率が低い。つまり、本適用例に係る電気泳動表示装置は、背景の色を、第１〜第４の反射率の中で最も高い反射率または最も低い反射率で表示する。人間の視覚は、背景の色に強い印象を受けやすい。そのため、背景の色が例えば第２の反射率または第３の反射率である場合と比較して、コントラストが良好であるとの印象を与えることができるので、見栄えが良い表示を行うことができる。
【００３０】
そして、本適用例に係る電気泳動表示装置は、第２の反射率の第２色、または、第３の反射率の第１色を用いて画像を表示する。これにより、高い方の限界反射率（以下、限界高反射率）または低い方の限界反射率（以下、限界低反射率）を用いて画像を表示する場合と比較して、第１色から第２色（または第２色から第１色）へと変化させるための駆動時間を短縮できるので、消費電力を抑えることが可能である。
【図面の簡単な説明】
【００３１】
【図１】本実施形態における電気泳動表示装置のブロック図。
【図２】本実施形態における電気泳動表示装置の画素の構成例を示す図。
【図３】図３（Ａ）は電気泳動素子の構成例を示す図。図３（Ｂ）、図３（Ｃ）は電気泳動素子の動作の説明図。
【図４】図４（Ａ）〜図４（Ｂ）は部分駆動方式の波形図と反射率を例示する図。
【図５】本実施形態における電気泳動表示装置で使用される反射率の範囲を示す図。
【図６】図６（Ａ）〜図６（Ｃ）は図５の反射率の使用範囲のそれぞれに対応した表示例を示す図。
【図７】図７（Ａ）〜図７（Ｄ）は白色背景の場合の表示例を示す図。
【図８】図８（Ａ）〜図８（Ｄ）は黒色背景の場合の表示例を示す図。
【図９】白色背景と黒色背景を切り換える場合のＤＣバランスについて説明する図。
【図１０】本実施形態のフローチャート。
【図１１】本実施形態の別の判定によるフローチャート。
【図１２】応用例の電子機器のブロック図。
【図１３】図１３（Ａ）は電子機器の一例である電子時計の図、図１３（Ｂ）は電子機器の一例である電子ペーパーの図。
【発明を実施するための形態】
【００３２】
１．電気泳動表示装置
本発明の実施形態（以下、本実施形態）について図１〜図１１を参照して説明する。本実施形態の電気泳動表示装置１０は、文字、数字、写真、模様、イラスト等の様々な画像を表示可能であるとする。
【００３３】
１．１．電気泳動表示装置の構成
図１は、本実施形態のアクティブマトリックス方式の電気泳動表示装置１０の構成を示す図である。
【００３４】
電気泳動表示装置１０は、表示制御回路６０、表示部３を含む。表示制御回路６０は、表示部３を制御し、本発明の表示制御部に対応する。表示制御回路６０は、走査線駆動回路６１、データ線駆動回路６２、コントローラー６３、共通電源変調回路６４、記憶部１６０を含む。
【００３５】
走査線駆動回路６１、データ線駆動回路６２、共通電源変調回路６４、記憶部１６０は、それぞれコントローラー６３と接続されている。コントローラー６３は、例えば時刻信号等の入力信号（図外）に基づいて、これらを総合的に制御する。
【００３６】
記憶部１６０は、例えばＶＲＡＭ(Video Random Access Memory)と、例えばフラッシュメモリー等の不揮発性メモリーを含んでいてもよい（図外）。ＶＲＡＭは表示部３に表示させる画像のデータを記憶する。ＶＲＡＭは複数のバンクに分かれており、それぞれが個別のＶＲＡＭとして機能してもよい。また、不揮発性メモリーはＶＲＡＭに記憶されたデータを構成する要素のデータ（例えばパーツデータや背景データ）を記憶する。なお、記憶部１６０は、その他に例えばＳＲＡＭ（Static Random Access Memory）、ＤＲＡＭ(Dynamic Random Access Memory)等を含んでいてもよい。
【００３７】
表示部３には、走査線駆動回路６１から延びる複数の走査線６６と、データ線駆動回路６２から延びる複数のデータ線６８とが形成されており、これらの交差位置に対応して複数の画素４０が設けられている。
【００３８】
走査線駆動回路６１は、ｍ本の走査線６６（Ｙ１、Ｙ２、…、Ｙｍ）により各画素４０に接続されている。走査線駆動回路６１は、コントローラー６３の制御に従って１行目からｍ行目までの走査線６６を順次選択することで、画素４０に設けられた駆動用ＴＦＴ（Thin Film Transistor）４８（図２参照）のオンタイミングを規定する選択信号を供給する。
【００３９】
データ線駆動回路６２は、ｎ本のデータ線６８（Ｘ１、Ｘ２、…、Ｘｎ）により各画素４０に接続されている。データ線駆動回路６２は、コントローラー６３の制御に従って、画素４０のそれぞれに対応する１ビットの画像データを規定する画像信号を画素４０に供給する。なお、本実施形態では、画素データ「０」を規定する場合には、ローレベルの画像信号を画素４０に供給し、画素データ「１」を規定する場合には、ハイレベルの画像信号を画素４０に供給するものとする。
【００４０】
表示部３には、また、共通電源変調回路６４から延びる低電位電源線４９（Ｖｓｓ）、高電位電源線５０（Ｖｄｄ）、共通電極配線５５（Ｖｃｏｍ）、第１のパルス信号線９１（Ｓ１）、第２のパルス信号線９２（Ｓ２）が設けられており、それぞれの配線は画素４０と接続されている。共通電源変調回路６４は、コントローラー６３の制御に従って上記配線のそれぞれに供給する各種信号を生成する一方、これら各配線の電気的な接続および切断（ハイインピーダンス化、Ｈｉ−Ｚ）を行う。
【００４１】
１．２．画素部分の回路構成
図２は、図１の画素４０の回路構成図である。なお、図１と同じ配線には同じ番号を付しており、説明は省略する。また、全画素に共通の共通電極配線５５については記載を省略している。
【００４２】
画素４０には、駆動用ＴＦＴ４８と、ラッチ回路７０と、スイッチ回路８０が設けられている。画素４０は、ラッチ回路７０により画像信号を電位として保持するＳＲＡＭ方式の構成をとる。
【００４３】
駆動用ＴＦＴ４８は、Ｎ−ＭＯＳ(Negative Channel Metal Oxide Semiconductor)トランジスタからなる画素スイッチング素子である。駆動用ＴＦＴ４８のゲート端子は走査線６６に接続され、ソース端子はデータ線６８に接続され、ドレイン端子はラッチ回路７０のデータ入力端子に接続されている。ラッチ回路７０は転送インバーター７０ｔと帰還インバーター７０ｆとを備えている。転送インバーター７０ｔ、帰還インバーター７０ｆには、低電位電源線４９（Ｖｓｓ）と高電位電源線５０（Ｖｄｄ）から電源電圧が供給される。
【００４４】
スイッチ回路８０は、トランスミッションゲートＴＧ１、ＴＧ２からなり、ラッチ回路７０に記憶された画素データの信号レベルに応じて、画素電極３５（図３（Ｂ）、図３（Ｃ）参照）に信号を出力する。なお、Ｖａは、１つの画素４０の画素電極３５へ供給される電位（信号）を意味する。
【００４５】
ラッチ回路７０に画素データ「１」（ハイレベルの画像信号）が記憶されて、トランスミッションゲートＴＧ１がオン状態となると、スイッチ回路８０はＶａとして信号Ｓ１を供給する。一方、ラッチ回路７０に画素データ「０」（ローレベルの画像信号）が記憶されて、トランスミッションゲートＴＧ２がオン状態となると、スイッチ回路８０はＶａとして信号Ｓ２を供給する。このような回路構成により、表示制御回路６０はそれぞれの画素４０の画素電極３５に対して供給する電位（信号）を制御することが可能である。
【００４６】
１．３．表示方式
本実施形態の電気泳動表示装置１０は、二粒子系マイクロカプセル型の電気泳動方式であるとする。分散液は透明、電気泳動粒子は白色および黒色のものであるとすると、白色および黒色の２色を基本色として少なくとも２色を表示できる。ここでは、電気泳動表示装置１０は、基本色として黒色と白色とを表示可能であるとして説明する。そして、黒色を表示している画素を白色で表示すること、または白色を表示している画素を黒色で表示することを反転と表現する。また、本明細書においてある物が透明であるとは、当該物を通して視認した場合に、電気泳動粒子の色が判別できることを意味する。
【００４７】
図３（Ａ）は、本実施形態の電気泳動素子１３２の構成を示す図である。電気泳動素子１３２は素子基板１３０と対向基板１３１（図３（Ｂ）、図３（Ｃ）参照）との間に挟まれている。電気泳動素子１３２は、複数のマイクロカプセル１２０を配列して構成される。マイクロカプセル１２０には、例えば分散液と、複数の白色の電気泳動粒子（白色粒子１２７）と、複数の黒色の電気泳動粒子（黒色粒子１２６）とが封入されている。本実施形態では、白色粒子１２７は負に帯電しており、黒色粒子１２６は正に帯電しているとする。
【００４８】
図３（Ｂ）は、電気泳動表示装置１０の表示部３の部分断面図である。素子基板１３０と対向基板１３１は、マイクロカプセル１２０を配列してなる電気泳動素子１３２を狭持している。表示部３（図１参照）は、素子基板１３０の電気泳動素子１３２側に、複数の画素電極３５が形成された駆動電極層３５０を含む。図３（Ｂ）では、画素電極３５として画素電極３５Ａと画素電極３５Ｂが示されている。画素電極３５により、表示部の画素ごとに電位を供給することが可能である（例えば、Ｖａ、Ｖｂ）。ここで、画素電極３５Ａを有する画素を画素４０Ａとし、画素電極３５Ｂを有する画素を画素４０Ｂとする。画素４０Ａ、画素４０Ｂは画素４０（図１、図２参照）に対応する２つの画素である。
【００４９】
一方、対向基板１３１は透明基板であり、表示部３において対向基板１３１側に画像表示がなされる。表示部３は、対向基板１３１の電気泳動素子１３２側に、平面形状の共通電極３７が形成された共通電極層３７０を含む。したがって、共通電極３７と画素電極３５とは向かい合っている。なお、共通電極３７は透明電極である。共通電極３７は、画素電極３５と異なり全画素に共通の電極であり、電位Ｖｃｏｍが供給される。
【００５０】
共通電極層３７０と駆動電極層３５０との間に設けられた電気泳動表示層３６０に電気泳動素子１３２が配置されており、電気泳動表示層３６０が表示領域となる。共通電極３７と画素電極３５（例えば、３５Ａ、３５Ｂ）との間の電位差に応じて、画素毎に所望の表示色を表示させることができる。
【００５１】
図３（Ｂ）では、共通電極３７側の電位Ｖｃｏｍが画素４０Ａの画素電極３５Ａの電位Ｖａよりも高電位である。このとき、負に帯電した白色粒子１２７が共通電極３７側に引き寄せられ、正に帯電した黒色粒子１２６が画素電極３５Ａ側に引き寄せられるため、画素４０Ａは白色を表示していると視認される。
【００５２】
図３（Ｃ）では、共通電極３７側の電位Ｖｃｏｍが画素４０Ａの画素電極３５Ａの電位Ｖａよりも低電位である。このときは逆に、正に帯電した黒色粒子１２６が共通電極３７側に引き寄せられ、負に帯電した白色粒子１２７が画素電極３５Ａ側に引き寄せられるため、画素４０Ａは黒色を表示していると視認される。なお、図３（Ｃ）の構成は図３（Ｂ）と同様であり説明は省略する。また、図３（Ｂ）、図３（Ｃ）ではＶａ、Ｖｂ、Ｖｃｏｍを固定された電位として説明したが、実際にはＶａ、Ｖｂ、Ｖｃｏｍは時間とともに（表示の書き換えに応じて）電位が変化する。以下では、電位Ｖａ、Ｖｂ、Ｖｃｏｍを与える信号をパルス信号という。そして、特に共通電極３７へのパルス信号を駆動パルス信号という。
【００５３】
ここで、図３（Ｂ）の後に、図３（Ｃ）の状態に変化したとする。このとき、画素４０Ａは白色の後に黒色が表示されており、印加電界の方向が逆向きに変化している。画素４０Ａについては、印加電界が図３（Ｂ）と図３（Ｃ）とで対称的でありＤＣバランスがとられている。一方、画素４０Ｂは白色だけが表示されており、印加電界が対称的でなく、ＤＣバランスがとられていない。電気泳動表示装置１０の長期信頼性を確保するためには、この例の画素４０Ａのように、反転表示（黒色を表示していた画素を白色で、または白色を表示していた画素を黒色で表示すること）を行う必要がある。
【００５４】
１．４．駆動方式
表示制御回路６０が表示部に画像を表示する制御を行うときの駆動方式について図４（Ａ）〜図４（Ｂ）を参照して説明する。ここで、表示制御回路６０は、応答速度を速めるために、表示部３の全体を描画するのではなく、書き換え対象である一部を描画するものとして説明する。
【００５５】
図４（Ａ）は部分駆動方式の波形図である。電気泳動表示装置１０では、応答速度を速めるために、表示部の全体を描画するのではなく、書き換え対象である一部を描画する場合がある。部分駆動方式によって、書き換え対象である一部の描画ができる。なお、図４（Ａ）のＶａ、Ｖｂ、Ｖｃｏｍは図３（Ｂ）〜図３（Ｃ）と同じであり、Ｖａ、Ｖｂ、Ｖｃｏｍはハイレベル（ＶＨ）、ローレベル（ＶＬ）、またはハイインピーダンス状態（Ｈｉ−Ｚ）をとり得る。
【００５６】
図４（Ａ）のＶｃｏｍは、共通電極３７への駆動パルス信号の例を示す。ここでのＶｃｏｍは、あるパルス幅Ｔ１（以下、単にＴ１とする）で第１の電位を共通電極３７に印加するパルスの後に、Ｔ１よりも短いパルス幅Ｔ２（以下、単にＴ２とする）で第１の電位とは異なる第２の電位を共通電極３７に印加するパルス（逆電位駆動パルス）が続き、それが繰り返される。つまり、共通電極３７には駆動パルス信号に基づく電圧が印加される。ただし、図４（Ａ）のように駆動停止の直前では例外的に第１の電位を共通電極３７に印加して終了する。パルス幅の短い逆電位駆動パルスにより、部分書き換えの際の駆動時間をより短縮することができる。ここで、白色表示をする場合には第１の電位はＶＨ（第２の電位はＶＬ）であり、黒色表示をする場合には第１の電位はＶＬ（第２の電位はＶＨ）である。また、例えば、Ｔ２はＴ１の１％〜１５％程の短い時間であってもよい。
【００５７】
この例では、画素４０Ａの画素電極３５Ａに印加される電位Ｖａを与えるパルス信号は駆動パルス信号の反転信号である。また、画素４０Ｂの画素電極３５Ｂに印加される電位Ｖｂを与えるパルス信号は駆動パルス信号と同じ信号（正転信号）である。つまり、画素電極３５Ａ、画素電極３５Ｂには駆動パルス信号の反転信号、駆動パルス信号に基づく電圧が印加される。画素４０Ａと画素４０Ｂは例えば図３（Ｂ）で示された２つの画素である。画素４０Ａは、図４（Ａ）の「白色表示」と示された期間に黒色から白色へと書き換えられ、「黒色表示」と示された期間に白色から黒色へと書き換えられる。一方、画素４０Ｂは、共通電極３７と画素電極３５Ｂとの間に電界を生じないため書き換えが行われずに黒色表示を続ける。
【００５８】
図４（Ｂ）は、図４（Ａ）の例による画素４０Ａ、画素４０Ｂの色（反射率）の変化を示す図である。縦軸が反射率、横軸が時間、ＲＬが黒色の反射率、ＲＨが白色の反射率を表す。まず、画素４０Ａについて説明する。画素４０Ａ（実線で表示）は最初に黒色（ＲＬ）で表示されているものとする。「白色表示」のＴ１に対応する区間では、画素電極３５Ａの電位はＶＬで共通電極３７の電位はＶＨであるため白色（ＲＨ）表示に近づく。しかし、「白色表示」のＴ２に対応する区間では、画素電極３５Ａの電位はＶＨで共通電極３７の電位はＶＬであるため黒色（ＲＬ）表示に近づく。しかし、Ｔ１＞Ｔ２であるため、画素４０Ａは「白色表示」の期間の最後には白色（ＲＨ）で表示される。そして、画素４０ＡはＶｃｏｍの極性が反転した「黒色表示」の期間の最後には同様にして黒色（ＲＬ）で表示される。
【００５９】
一方、画素４０Ｂ（太破線で表示）は、常にＶｃｏｍと同じ信号が画素電極３５Ｂに供給されているので電位差が生じることはなく当初からの黒色表示を続ける。このように部分駆動方式では、変化させたい画素のみを駆動することができ、画像の書き換えにおける応答速度を速めることができる。特に、パルス幅の短い逆電位駆動パルスを使用することで部分書き換えの際の駆動時間を短縮することができる。表示部の全画素を、部分駆動方式で描画することも可能である。
【００６０】
なお、書き換え対象である一部を描画する場合に適していることから、このようなパルス信号の駆動方式を部分駆動方式と呼ぶ。しかし、部分駆動方式は、書き換え対象を表示部の一部の画素に限るものではない。そのため、表示部の全画素を、部分駆動方式で描画することが可能である。
【００６１】
１．５．反射率の使用範囲
図４（Ｂ）のように、画像を書き換えるためには、黒色、白色に対応する所望の反射率（図４（Ｂ）ではそれぞれＲＬ、ＲＨ）になるまでパルス信号を駆動する必要がある。ここで、図４（Ｂ）におけるＲＬ、ＲＨとして限界反射率を用いると、コントラストを最も高くすることができる。しかし、限界低反射率（黒色）と限界高反射率（白色）との差は、表示部３が表示可能な反射率の範囲において最も大きい。そのため、黒色から白色へと（または、白色から黒色へと）書き換えるのに必要なパルス信号の駆動時間が電気泳動表示装置１０の駆動時間のうちで最も長くなり、消費電力も最も大きくなる。一方で、電気泳動表示装置１０には、画像書き換えに要する時間の短縮と、低消費電力であることとが一層求められている。そのため、コントラストを一定水準に保つことができれば、黒色、白色に対応する所望の反射率を限界低反射率、限界高反射率に限定しないことが好ましい。
【００６２】
そこで、本実施形態の電気泳動表示装置１０では、限界高反射率と限界低反射率との差よりも狭い範囲で白色、黒色を表示する。具体的には、図５に示す第１の使用範囲と第２の使用範囲とを切り換えて用いる。第１の使用範囲と第２の使用範囲は、異なる反射率の使用範囲である。
【００６３】
図５において、限界高反射率はＲＭＨに対応し、限界低反射率はＲＭＬに対応する。これらの差であるｋ０だけ反射率を変化させるためには、パルス信号の駆動時間を最も長くする必要があり、消費電力も最も大きくなる。
【００６４】
そこで、本実施形態の電気泳動表示装置１０は、ｋ０よりも小さい反射率の差であるｋ１、ｋ２を有する第１の使用範囲と第２の使用範囲とを切り換えて用いる。第１の使用範囲を選択する場合には、反射率Ｒ１Ｈで白色を、反射率Ｒ１Ｌで黒色を表示し、これらの差がｋ１となる。第２の使用範囲を選択する場合には、反射率Ｒ２Ｈで白色を、反射率Ｒ２Ｌで黒色を表示し、これらの差がｋ２となる。第１の使用範囲または第２の使用範囲を用いて黒色から白色へと（または、白色から黒色へと）書き換える場合、反射率の差（ｋ１、ｋ２）はｋ０よりも小さいため、必要なパルス信号の駆動時間を短くでき、消費電力を小さくできる。なお、Ｒ１Ｈ、Ｒ２ＨはＲＭＨよりも反射率が小さいが、本明細書においては「白色」と表現する。Ｒ１Ｌ、Ｒ２ＬはＲＭＬよりも反射率が大きいが、「黒色」と表現する。
【００６５】
なお、この例ではＲＭＨ、ＲＭＬは限界反射率であって、電気泳動表示装置１０の仕様上の限界で決まる値である。例えば、電気泳動粒子や電気泳動素子１３２の仕様で決まっていてもよい。
【００６６】
また、反射率Ｒ１Ｈ、Ｒ１Ｌ、Ｒ２Ｈ、Ｒ２Ｌ、ＲＭＨ、ＲＭＬは、それぞれ本発明における第１の反射率、第３の反射率、第２の反射率、第４の反射率、表示部３が表示可能な最も高い反射率、表示部３が表示可能な最も低い反射率に対応する。例えば、第３の反射率は１５％、第１の反射率は４０％、第４の反射率は１２％、第２の反射率は３４％等である。この反射率の組み合わせの場合、第１の使用範囲が選択されると反射率が１５％〜４０％の範囲で表示され、第２の使用範囲が選択されると反射率が１２％〜３４％の範囲で表示される。コントラストをより良好にするには、反射率Ｒ１Ｈは４２％、Ｒ１Ｌは８％、Ｒ２Ｈは３８％、Ｒ２Ｌは５％、とすることがより好ましい。
【００６７】
ここで、駆動時間を短縮し、消費電力を抑えても、コントラストを一定水準に保たなければ、表示した画像の見栄えに影響する。本実施形態の電気泳動表示装置１０は、表示部３に表示される画像の背景が白色であるか黒色であるかを判定する。そして、背景の色が白色であれば第１の使用範囲を選択し、背景の色が黒色であれば第２の使用範囲を選択する。
【００６８】
一般に、ユーザーは、表示部３に表示される画像および背景のうち、占める面積が相対的に大きい背景の色に印象が影響される。例えばユーザーは、表示部３に表示される画像自体が中間色（限界反射率に達していない色、例えばダークグレー）であっても、背景が白色（または黒色）であると認識すれば、コントラストが良好であると認識することが多い。逆に、背景が中間色であると、ユーザーはコントラストが良くないと感じることが多い。
【００６９】
そこで、本実施形態の電気泳動表示装置１０は、第１の使用範囲の反射率Ｒ１Ｈを限界高反射率であるＲＭＨにし、第２の使用範囲の反射率Ｒ２Ｌで限界低反射率であるＲＭＬにする。第１の使用範囲、第２の使用範囲は、それぞれ背景が白色、黒色であるときに選択されるので、背景の色をそれぞれ限界高反射率、限界低反射率で表示することができる。そのため、ユーザーはコントラストが良好であるとの印象を受ける。つまり、本実施形態の電気泳動表示装置１０はコントラストを一定水準に保つことができる。
【００７０】
ここで、以下では説明を分かりやすくするため、第１の使用範囲を白色背景使用範囲と、第２の使用範囲を黒色背景使用範囲と呼ぶ。図６（Ａ）、図６（Ｂ）は、それぞれ白色背景使用範囲、黒色背景使用範囲を選択して、それぞれ背景が白色、黒色である画像（日付および時刻）を表示部３に表示した例を示す。このとき、背景の色は中間色（例えばグレー）でなく、それぞれ限界高反射率、限界低反射率である白色、黒色であるため、ユーザーはコントラストが良好であると認識する。
【００７１】
ここで、再び図５を参照する。白色背景使用範囲の反射率Ｒ１Ｈは厳密に限界高反射率であるＲＭＨに完全に一致する必要はない。また、黒色背景使用範囲の反射率Ｒ２Ｌは厳密に限界低反射率であるＲＭＬに完全に一致する必要はない。すなわち、ユーザーが白色および黒色と認識する反射率であればよく、例えばそれぞれＲＭＨ、ＲＭＬから５％以内の反射率で設定されてもよい。
【００７２】
白色背景使用範囲では反射率Ｒ１Ｈ、反射率Ｒ１Ｌがそれぞれ白色、黒色と認識される反射率である。また、黒色背景使用範では反射率Ｒ２Ｈ、反射率Ｒ２Ｌがそれぞれ白色、黒色と認識される反射率である。そして、反射率Ｒ２Ｌ＜反射率Ｒ１Ｌ＜反射率Ｒ２Ｈ＜反射率Ｒ１Ｈの関係がある。
【００７３】
そして、反射率Ｒ１Ｌと反射率Ｒ２Ｌとの差であるｋ４は、反射率Ｒ１Ｈと反射率Ｒ２Ｈとの差であるｋ５よりも小さい。反射率の低い領域（反射率Ｒ１Ｌ、Ｒ２Ｌを含む領域）では、反射率の高い領域（反射率Ｒ１Ｈ、Ｒ２Ｈを含む領域）に比べて、少しの反射率の変化が見た目のコントラストに影響することが知られている。言い換えると、白色の反射率の違い（反射率Ｒ１Ｈと反射率Ｒ２Ｈとの色の違い）は、ユーザーに認識されにくい。そのため、図５のｋ４をｋ５よりも小さくしても、背景の色が黒色であると判定した場合に、ユーザーにコントラストが良好であるとの印象を与えることができる。つまり、黒色背景使用範囲の反射率の差（ｋ４）を白色背景使用範囲の反射率の差（ｋ５）より小さくすることで、見かけのコントラストを低下させずに、黒色背景使用範囲を選択した場合の消費電力をさらに低くしている。
【００７４】
ここで、本実施形態の電気泳動表示装置１０は白色背景使用範囲と黒色背景使用範囲とを背景の色に応じて選択するが、図５の第３の使用範囲だけを用いても必要なパルス信号の駆動時間を短くでき、消費電力を小さくできる。つまり、第３の使用範囲の反射率の差であるｋ３は、ｋ０よりも小さいため、必要なパルス信号の駆動時間を短くでき、消費電力を小さくできる。第３の使用範囲では、図５の反射率Ｒ３Ｈで相対的に反射率の高い色を、反射率Ｒ３Ｌで相対的に反射率の低い色を表示する。
【００７５】
しかし、第３の使用範囲を用いる場合には、図６（Ｃ）のように全体的にグレーがかった表示となり、表示部３に表示される画像（日付および時刻）の輪郭がはっきりとしていない。特に、表示部３に表示される画像が図６（Ｃ）の例のように非グラフィックの場合には、ユーザーの視認性を低下させるため好ましくない。そこで、本実施形態の電気泳動表示装置１０は白色背景使用範囲と黒色背景使用範囲とを背景の色に応じて選択する。
【００７６】
なお、表示部３に表示される画像がグラフィックの場合には、あまり画像の輪郭が明確でなくてもよい場合もある。このとき、画像の種類が非グラフィックである場合は白色背景使用範囲と黒色背景使用範囲とを用いて、グラフィックである場合は第３の使用範囲を用いることも可能である。
【００７７】
１．６．ＤＣバランス
白色背景使用範囲、黒色背景使用範囲が選択された場合における、画像表示の工程は特に限定されるものではない。しかし、本実施形態の電気泳動表示装置１０では、ＤＣバランスをとるように、以下のような工程に従う。ここで、ＤＣバランスをとるとは、印加される電界の時間平均がほぼゼロになるようにすることである。電気泳動表示装置１０において電極間（共通電極３７と画素電極３５との間）に印加される電界の時間平均がほぼゼロでなければ動作寿命が短くなる可能性がある。つまり、電気泳動表示装置１０の長期信頼性を確保するためには、ＤＣバランスをとることが重要である。
【００７８】
図７（Ａ）〜図７（Ｄ）は背景の色が白色であると判定した場合の表示例を表す。図７（Ａ）〜図７（Ｄ）のそれぞれの左図は表示部３の表示画像を表し、右図は表示部３の表示を行うために駆動される画素を濃灰色（ダークグレー）で表した駆動画素１３を表す。駆動画素１３の下部には、白色背景使用範囲、黒色背景使用範囲のうち選択された反射率の使用範囲と、駆動画素１３の濃灰色（ダークグレー）で表された画素が黒色表示されるのか、白色表示されるのかの区別が示されている。
【００７９】
また、図７（Ａ）〜図７（Ｄ）の工程名は、後述するフローチャートの工程の記号（ａ）〜（ｄ）に対応するものである。工程（ａ）は第１の画像を特定色とは異なる色で表示し、工程（ｂ）は第１の画像の背景を特定色とは異なる色で表示し、工程（ｃ）は第２の画像の背景を特定色で表示し、工程（ｄ）は第２の画像を特定色で表示するものである。ここで、第１の画像、第２の画像とは、表示部３に表示される画像である。第１の画像と第２の画像とは、同じ画像である必要はないが、これらの背景の色は同じであるとする。特定色とは、判定された背景の色であり、ここでは白色である。
【００８０】
図７（Ａ）は、工程（ａ）を実行したときの表示部３の表示画像と、そのための駆動画素１３を表す。工程（ａ）では、白色背景使用範囲を用いて、表示部３に時刻表示１０：０５（第１の画像）を黒色（特定色とは異なる色）で表示する。なお、工程（ａ）の実行前は、表示部３は全面が白色の状態であったとする。
【００８１】
図７（Ｂ）は、工程（ｂ）を実行したときの表示部３の表示画像と、そのための駆動画素１３を表す。工程（ｂ）では、白色背景使用範囲を用いて、表示部３に時刻表示１０：０５以外の部分（第１の画像の背景）を黒色（特定色とは異なる色）で表示する。このとき、表示部３は、全面が黒色の状態になる。
【００８２】
図７（Ｃ）は、工程（ｃ）を実行したときの表示部３の表示画像と、そのための駆動画素１３を表す。工程（ｃ）では、白色背景使用範囲を用いて、表示部３に時刻表示１０：０６以外の部分（第２の画像の背景）を白色（特定色）で表示する。このとき、表示部３には、黒色で時刻表示１０：０６が表示されることになる。
【００８３】
図７（Ｄ）は、工程（ｄ）を実行したときの表示部３の表示画像と、そのための駆動画素１３を表す。工程（ｄ）では、白色背景使用範囲を用いて、時刻表示１０：０６（第２の画像）を白色（特定色）で表示する。このとき、表示部３は、全面が白色の状態になる。
【００８４】
ここで、工程（ａ）と工程（ｂ）の駆動画素１３を合わせると表示部全体の画素を黒色へと変化させている（図７（Ａ）〜図７（Ｂ）のｐ１）。一方、工程（ｃ）と工程（ｄ）の駆動画素１３を合わせると表示部全体の画素を白色へと変化させている（図７（Ｃ）〜図７（Ｄ）のｑ１）。よって、これらの４つの工程で、表示部全体のＤＣバランスがとられている。
【００８５】
このように、表示する画像（第１の画像、第２の画像）の背景が白色の場合に、白色背景使用範囲を用いて、４つの工程（ａ）〜（ｄ）を実行することで、表示部全体のＤＣバランスをとることができる。
【００８６】
一方、図８（Ａ）〜図８（Ｄ）は背景の色が黒色であると判定した場合の表示例を表す。なお、図７（Ａ）〜図７（Ｄ）と同じ要素には同じ符号を付しており説明を省略する。このとき、図７（Ａ）〜図７（Ｄ）とは異なり、特定色（判定された背景の色）は黒色である。
【００８７】
図８（Ａ）は、工程（ａ）を実行したときの表示部３の表示画像と、そのための駆動画素１３を表す。工程（ａ）では、黒色背景使用範囲を用いて、表示部３に時刻表示１０：０５（第１の画像）を白色（特定色とは異なる色）で表示する。なお、工程（ａ）の実行前は、表示部３は全面が黒色の状態であったとする。
【００８８】
図８（Ｂ）は、工程（ｂ）を実行したときの表示部３の表示画像と、そのための駆動画素１３を表す。工程（ｂ）では、黒色背景使用範囲を用いて、表示部３に時刻表示１０：０５以外の部分（第１の画像の背景）を白色（特定色とは異なる色）で表示する。このとき、表示部３は、全面が白色の状態になる。
【００８９】
図８（Ｃ）は、工程（ｃ）を実行したときの表示部３の表示画像と、そのための駆動画素１３を表す。工程（ｃ）では、黒色背景使用範囲を用いて、表示部３に時刻表示１０：０６以外の部分（第２の画像の背景）を黒色（特定色）で表示する。このとき、表示部３には、白色で時刻表示１０：０６が表示されることになる。
【００９０】
図８（Ｄ）は、工程（ｄ）を実行したときの表示部３の表示画像と、そのための駆動画素１３を表す。工程（ｄ）では、黒色背景使用範囲を用いて、時刻表示１０：０６（第２の画像に対応）を黒色（特定色）で表示する。このとき、表示部３は、全面が黒色の状態になる。
【００９１】
ここで、工程（ａ）と工程（ｂ）の駆動画素１３を合わせると表示部全体の画素を白色へと変化させている（図８（Ａ）〜図８（Ｂ）のｐ２）。一方、工程（ｃ）と工程（ｄ）の駆動画素１３を合わせると表示部全体の画素を黒色へと変化させている（図８（Ｃ）〜図８（Ｄ）のｑ２）。よって、これらの４つの工程で、表示部全体のＤＣバランスがとられている。
【００９２】
このように、表示する画像（第１の画像、第２の画像に対応）の背景が黒色の場合に、黒色背景使用範囲を用いて、４つの工程（ａ）〜（ｄ）を実行することで、表示部全体のＤＣバランスをとることができる。
【００９３】
ここで、表示部３に表示される画像が非グラフィックの場合には、例えばユーザーが指定することで、また、例えば使用環境の明るさに応じて、背景の色が切り換わることがある。このとき、電気泳動表示装置１０は、例えば背景の色を切り換えるレジスターを持っていてもよい。例えば、電気泳動表示装置１０は、反転表示モードを指定するレジスターを有しており、通常は背景の色が白色であり、反転表示モードがセットされた場合に背景の色が黒色となってもよい。一方、表示部３に表示される画像がグラフィックの場合には、反転表示すると印象が変化することがあるので、背景の色が固定されている（例えば白色）ことがある。
【００９４】
なお、表示される画像がグラフィックであるとの判定は、黒色と白色との境界が所定数以上含まれるか否かで判定してもよい。例えば、表示部の所定領域において、黒色と白色との境界が所定数以上含まれるか否かを判定してもよい。表示部の所定領域とは、表示部３の全体であってもよいし、表示部３に１つまたは複数設けられた小さな領域（例えば１０画素×１０画素の領域）であってもよい。境界についての所定数とは、例えば１００、５００といった固定値であってもよいし、表示部の所定領域の全画素数に対する比率（例えば５０％以上）によって決定してもよい。また、画像を読み出すたびに隣り合う画素の色を比較して、境界の数を求めてもよい。画像の第１方向（例えば縦方向）と第２方向（例えば横方向）のうち、１方向において隣り合う画素だけを比較して境界の数を求めてもよいし、２方向について境界の数を求めてもよい。
【００９５】
このような要因により背景の色の変化がある場合には、図９に示すように、白色背景使用範囲から黒色背景使用範囲への切り換え工程Ｃｗｂと、黒色背景使用範囲から白色背景使用範囲への切り換え工程Ｃｂｗと、を実行することで表示部全体のＤＣバランスがとれる。ここで、切り換え工程Ｃｗｂは、表示部３の全面が白色の状態（図７（Ｄ）参照）から全面が黒色の状態にすることである。また、切り換え工程Ｃｂｗは、表示部３の全面が黒色の状態（図８（Ｄ）参照）から全面が白色の状態にすることである。よって、切り換え工程Ｃｗｂと切り換え工程Ｃｂｗとは対称的であり、白色背景使用範囲と黒色背景使用範囲とを切り換える場合において表示部全体のＤＣバランスがとれる。
【００９６】
ただし、切り換え工程Ｃｗｂ、Ｃｂｗが発生することよりも、図９で白色背景、黒色背景と示されている、背景の色に変化のない期間での画像の更新の方がずっと多い。そのため、白色背景、黒色背景と示された期間において、工程（ａ）〜（ｄ）によってＤＣバランスがとられているのであれば、切り換え工程Ｃｗｂ、Ｃｂｗが対になって発生しなくてもよい。つまり、切り換え工程Ｃｗｂ、Ｃｂｗが対になって発生しなくても（例えば、黒色背景使用範囲から白色背景使用範囲への切り換えの後、黒色背景使用範囲から白色背景使用範囲が長期間ない場合でも）、通常はＤＣバランスの偏りが非常に小さく、電気泳動表示装置１０の長期信頼性に影響を与えない程度の偏りと考えられる。
【００９７】
１．７．フローチャート
本実施形態の電気泳動表示装置１０の表示制御回路６０が行う制御処理をまとめると図１０、図１１のフローチャートのようになる。表示制御回路６０は、図１０または図１１のいずれかのフローチャートに従う処理を実行すればよい。これらの処理の選択は固定的であってもよいが、例えばユーザーがレジスター設定により一方の処理を選択できるようにしてもよい。
【００９８】
図１０のフローチャートでは、表示する画像（第１の画像）を表示部３に表示した場合に、黒色および白色の面積を比較して、面積が大きい方の色を背景の色と判定する。具体的には、面積は画素の数で決まるので、表示部３の所定領域（一部でも良いが、好ましくは全画素）について、黒色で表示される画素数と白色で表示される画素数とを比較し、黒色で表示される画素数が白色で表示される画素数より多いか否かを判定する（Ｓ１０）。
【００９９】
黒色で表示される画素数が多かった場合には（Ｓ１０Ｙ）、黒色背景使用範囲を選択する（Ｓ１２０）。このときの特定色は黒色である。一方、白色で表示される画素数が多かった場合には（Ｓ１０Ｎ）、白色背景使用範囲を選択する（Ｓ１１０）。このときの特定色は白色である。
【０１００】
そして、表示制御回路６０は、部分駆動方式で第１の画像を特定色とは異なる色で表示部３に表示させる工程（ａ）を実行し（Ｓ２１０）、部分駆動方式で第１の画像の背景を特定色とは異なる色で表示部３に表示させる工程（ｂ）を実行し（Ｓ２２０）、部分駆動方式で第２の画像の背景を特定色で表示部３に表示させる工程（ｃ）を実行し（Ｓ２３０）、部分駆動方式で第２の画像を特定色で表示部３に表示させる工程（ｄ）を実行する（Ｓ２４０）。なお、第１の画像と第２の画像とは、同じ画像である必要はないが、これらの背景の色は同じであるとする。
【０１０１】
なお、黒色を表示する画素数と白色を表示する画素数が等しい場合には、図１０のフローチャートでは、白色背景使用範囲が選択される（Ｓ１０Ｎ）が、黒色背景使用範囲が選択されるように設定されていても良い。反射率の差ｋ４が反射率の差ｋ５よりも小さければ、消費電力を抑制できる。
【０１０２】
図１０のフローチャートは、画像の種類を問わないが、背景の色は画像の種類で決まる場合がある。例えば、画像がグラフィックの場合には背景の色が白色に固定され、非グラフィックの場合には反転表示モードでない限りは背景の色が白色となるとする。このとき、図１１のフローチャートのように、画像の種類を判定するのが効率的である。
【０１０３】
なお、図１１のフローチャートにおいて、図１０と同じ工程には同じ符号を付しており、図１０と異なる部分のみ説明する。
【０１０４】
表示制御回路６０は、まず、表示する画像（第１の画像、第２の画像のどちらでもよい）を表示部３に表示した場合に、表示部３の所定領域（例えば全体）において、黒色と白色との境界が所定数（例えば５００）以上含まれるか否かを判定する（Ｓ２０）。なお、画像を例えば黒色で表示した場合には背景は白色であるとする。
【０１０５】
黒色と白色との境界が所定数以上含まれている場合には（Ｓ２０Ｎ）、表示する画像はグラフィックであるので、白色背景使用範囲を選択する（Ｓ１１０）。黒色と白色との境界が所定数未満の場合には（Ｓ２０Ｙ）、表示する画像は非グラフィックであるので、反転表示モードであるか否かを調べる（Ｓ３０）。反転表示モードでなければ（Ｓ３０Ｎ）、白色背景使用範囲を選択する（Ｓ１１０）。しかし、反転表示モードであれば（Ｓ３０Ｙ）、黒色背景使用範囲を選択する（Ｓ１２０）。その後の工程（ａ）〜（ｄ）については、図１０のフローチャートと同じである。ここで、第１の画像と第２の画像とは、同じ画像である必要はないが、これらの画像の種類（例えば非グラフィック）は同じであるとする。
【０１０６】
以上のような処理（図１０または図１１）により、消費電力を抑え、かつ見栄えのよい表示を行う電気泳動表示装置１０の駆動方法を実現できる。
【０１０７】
２．応用例
本発明の応用例について図１２〜図１３（Ｂ）を参照して説明する。なお、図１〜図１１と同じ要素については同一符号を付して説明を省略する。前記の電気泳動表示装置１０は、例えば時刻表示を行う電子時計などの電子機器に応用できる。
【０１０８】
２．１．電子機器のブロック図
図１２は応用例に係る電子機器１のブロック図である。電子機器１は、ＣＰＵ(Central Processing Unit)２、入力部４、記憶部５、電気泳動表示装置１０を含む。電気泳動表示装置１０は、前記の電気泳動表示装置であって、様々な画像を表示する表示部３を含む。
【０１０９】
ＣＰＵ２は、他のブロックを制御し様々な演算や処理を行う。ＣＰＵ２は、例えば記憶部５からプログラムを読み込み、プログラムに従って電気泳動表示装置１０に時刻信号などを入力してもよい。
【０１１０】
入力部４は、例えば電子機器１のユーザーからの指示を受け取り、指示に応じた信号を他のブロックに出力してもよい。
【０１１１】
記憶部５は、例えばＤＲＡＭやＳＲＡＭなどのメモリーであってもよいし、ＲＯＭ(Read Only Memory)を含んでいてもよい。ＣＰＵ２が使用するプログラムは、例えば記憶部５が含むＲＯＭに書かれていてもよい。
【０１１２】
表示部３は、電気泳動表示装置１０の一部であって、例えば時刻を表示したり、文字、写真などを表示したりしてもよい。
【０１１３】
電子機器１は、消費電力を抑え、かつ見栄えのよい表示を行う前記の電気泳動表示装置１０を含む。そのため、電子機器１としても低消費電力化が可能であり、表示品質がよく、表現力に優れた電子機器１を実現できる。
【０１１４】
２．２．電子機器の具体例
図１３（Ａ）〜図１３（Ｂ）に、電子機器の具体例を示す。図１３（Ａ）は電子機器の１つである電子時計１０００の正面図である。電子時計１０００は、例えば腕時計であり、時計ケース１００２と、時計ケース１００２に連結された一対のバンド１００３とを備える。時計ケース１００２の正面(表示面側)には、電気泳動表示装置１０の表示部３（図１２参照）である表示部１００４が設けられ、時刻表示１００５を行っている。時計ケース１００２の側面には、２つの操作ボタン１０１１と１０１２とが設けられ、入力部４（図１２参照）として機能する。
【０１１５】
また、図１３（Ｂ）は電子機器の１つである電子ペーパー１１００の斜視図である。電子ペーパー１１００は可撓性を有し、電気泳動表示装置１０の表示部３（図１２参照）である表示領域１１０１と、本体１１０２とを備えている。
【０１１６】
前記の電気泳動表示装置１０は、これらの具体例を含む、様々な電子機器に適用できる。そして、そのような電子機器は、低消費電力化が可能であり、表示品質がよく、表現力に優れている。
【０１１７】
３．その他
前記の実施形態においては、電気泳動表示装置１０は、黒粒子および白粒子による白黒二粒子系の電気泳動が行われるものに限られず、青白等の一粒子系の電気泳動を行っても良く、また、白黒以外の組み合わせでも構わない。
【０１１８】
前記の実施形態においては、第１の画像の背景の色を判定したが、第１の画像に加えて、第２の画像の背景の色も判定してもよい。第１の画像と第２の画像の背景の色が異なった場合は、切り換え工程ＣｗｂまたはＣｂｗを直ちに実行してもよい。画像の種類を判定する場合も同様である。
【０１１９】
前記の実施形態においては、画素の数や境界の数に基づいて背景の色を判定したが、各画像に対して背景の色を指定するフラグが設定されていてもよい。例えば背景が黒色なら「１」、白色なら「０」とすればよい。フラグを判別することによって背景の色を判定できるので、演算の負荷を軽減できる。また、画像の種類等に依存せずに、ユーザーがより良い印象を得やすい反射率で画像および背景を表示できるので、より見栄えの良い表示を実現できる。例えばレジスター設定等により、ユーザーがフラグを設定可能であってもよい。
【０１２０】
さらに、前記の応用例の電子時計は、腕時計に限らず、置き時計、掛け時計、懐中時計などの時計機能を有する機器に広く適用できる。
【０１２１】
これらの例示に限らず、本発明は、実施形態で説明した構成と実質的に同一の構成（例えば、機能、方法および結果が同一の構成、あるいは目的および効果が同一の構成）を含む。また、本発明は、実施形態で説明した構成の本質的でない部分を置き換えた構成を含む。また、本発明は、実施形態で説明した構成と同一の作用効果を奏する構成または同一の目的を達成することができる構成を含む。また、本発明は、実施形態で説明した構成に公知技術を付加した構成を含む。
【符号の説明】
【０１２２】
１  電子機器、２  ＣＰＵ、３  表示部、４  入力部、５  記憶部、１０  電気泳動表示装置、１３  駆動画素、３５  画素電極、３５Ａ  画素電極、３５Ｂ  画素電極、３７  共通電極、４０  画素、４０Ａ  画素、４０Ｂ  画素、４８  駆動用ＴＦＴ、４９  低電位電源線（Ｖｓｓ）、５０  高電位電源線（Ｖｄｄ）、５５  共通電極配線（Ｖｃｏｍ）、６０  表示制御回路、６１  走査線駆動回路、６２  データ線駆動回路、６３  コントローラー、６４  共通電源変調回路、６６  走査線、６８  データ線、７０  ラッチ回路、７０ｆ  帰還インバーター、７０ｔ  転送インバーター、８０  スイッチ回路、９１  第１のパルス信号線（Ｓ１）、９２  第２のパルス信号線（Ｓ２）、１２０  マイクロカプセル、１２６  黒色粒子、１２７  白色粒子、１３０  素子基板、１３１  対向基板、１３２  電気泳動素子、１６０  記憶部、３５０  駆動電極層、３６０  電気泳動表示層、３７０  共通電極層、１０００  電子時計、１００２  時計ケース、１００３  バンド、１００４  表示部、１００５  時刻表示、１０１１  操作ボタン、１１００  電子ペーパー、１１０１  表示領域、１１０２  本体
【図１】
2014211467.tif 000003
【図２】
2014211467.tif 000004
【図３】
2014211467.tif 000005
【図４】
2014211467.tif 000006
【図５】
2014211467.tif 000007
【図９】
2014211467.tif 000008
【図１０】
2014211467.tif 000009
【図１１】
2014211467.tif 000010
【図１２】
2014211467.tif 000011
【図１３】
2014211467.tif 000012
【図６】
2014211467.tif 000013
【図７】
2014211467.tif 000014
【図８】
2014211467.tif 000015